(57)【要約】【課題】注出口を開封した三方シール、または四方シールの包装袋を平らな面に置くときに、注出口を接地する面側に位置させないようにし、開封されている注出口が上方となって、かつ安定した据え置きができる包装袋を提供する。【解決手段】収納部４の折り起こしできる二つの折り起こし部１３、１４のシール辺部それぞれに、互いに係脱可能に係止する折曲維持手段１５、１６を設け、その二つの折曲維持手段１５、１６の係止により収納部４の折り起こし状態が維持されて、一方のシール辺部側にある注出口形成予定部９を上方とし収納部４での自立用底部形成部１２を袋底として収納部４が自立可能となる構成を有した。【選択図】図１
2014205499.tif 000002
【特許請求の範囲】
【請求項１】
二面の柔軟なシートが対向してその間を収納空間とした収納部が設けられていて、前記二面のシートの辺部をヒートシールした三方シールまたは四方シールの包装袋であって、ヒートシールされた対向する一組のシール辺部の内、一方のシール辺部側に注出口形成予定部が設けられている包装袋において、
前記一組のシール辺部の対向方向を第一方向として、前記収納部での前記第一方向で対向する二位置に、収納部の折り起こしが可能な折曲予定部が形成されていて、
前記収納部は、前記折曲予定部の間の自立用底部形成部と、前記自立用底部形成部を間にして第一方向に対向配置されて折曲予定部の位置から折り起こしできる二つの折り起こし部とから設けられ、
前記折曲予定部からの折り起こしにより近接する前記二つの折り起こし部のシール辺部それぞれに、該折り起こしによって相対して係脱可能に係止する折曲維持手段が設けられており、
前記二つの折曲維持手段の係止により収納部の折り起こし状態が維持されて、一方のシール辺部側にある注出口形成予定部を上方とし前記自立用底部形成部を袋底として収納部が自立可能となる構成を有することを特徴とする包装袋。
【請求項２】
上記折曲維持手段それぞれは、互いに係脱可能に係止し合う係止片である請求項１に記載の包装袋。
【請求項３】
上記折曲維持手段の内の一方の折曲維持手段は、シール辺部を切り込んでなる係止口であり、他方の折曲維持手段は、前記係止口に挿入して係止可能とされる係止片である請求項１に記載の包装袋。
【発明の詳細な説明】
【技術分野】
【０００１】
本発明は、シャンプー、リンス、洗剤などの液体や、調味料、インスタントコーヒーなどの粉体を収納するための包装袋であり、注出口を開封形成した後にも簡単に再封して収納物の漏れ出しを防止できるようにした包装袋に関するものである。
【背景技術】
【０００２】
従来から柔軟なシートを包材として用いた包装袋としては、背貼りされた胴部の袋上部と袋底部とをヒートシールしたピロー包装、シートを二つ折りして二面のシートを正面シートと背面シートとして重ね合わせて対向させ、シート折り曲げ側の辺部とは反対側の辺をヒートシールしてシール辺部とするとともに、残りの二辺であって対向する位置にある辺それぞれをヒートシールしてシール辺部とする三方シール包装、さらに、別成形された正面シートと背面シートとを重ね合わせて対向させ、左右の袋側部、袋上部、袋下部との四辺をヒートシールしてシール辺部とした四方シール包装などの各種のタイプがある。
【０００３】
これらの包装形態の包装袋の内、シャンプー、リンス、洗剤などの液体、調味料、インスタントコーヒーなどの粉体が充填包装され、使用に際しては袋の隅部などを切断して開き、その開いた注出口から収納物を注出する用途に、三方シールや四方シールをした包装袋がよく利用されている。そして、三方シールや四方シールして正面シートと背面シートとの間を収納空間とした収納部を有する包装袋において、開口した注出口から収納物全てを注出せずに幾分かの収納物を残した場合に、簡単に再封して収納物が漏れ出ないようにしたいとの要望があった。
【０００４】
このような要望に答える包装袋としては、例えば特許文献１に示されているように、袋上部に向けて凸の収納物注出路を通路幅一定のものとして形成して、これを袋側部側に偏倚させるとともに、その収納物注出路の側方に正面シートと背面シートとをヒートシールしたシール部であって面状の広がりのあるシール薄板を設けて、収納物注出路の部分と前記シート薄板とを袋幅方向に並び設けた包装袋がある。この包装袋では、収納物注出路の開封予定部のある先端側の部分と前記シール薄板との間が分離できるとともに、収納物注出路の側方の近傍にシール薄板の内にしてスリットが切り込まれている。
【０００５】
そして、収納物を注出するためには収納物注出路の先端側の部分を切り取って注出口を形成し、再封する場合には、収納物注出路の先端側をシール薄板と切り離した状態とし、その先端側の部分（注出口側の部分）を折り曲げながら上記スリットに挿入して掛け止めることで、収納物注出路が折り曲げの部分で閉塞されるようにして再封を行なうものであった。また、特許文献２、３にも同様に収納物注出路を折り曲げ、その収納物注出路の先端側の部分をスリットに通したり、掛け止めたりする工夫が示されている。
【０００６】
また、収納物注出路を袋側部に偏倚させた形態ではなく、袋上部に袋幅方向に亘って広く開口できる包装袋において、開封後の開口から収納物が漏れ出ないように袋上部側を折り曲げ、その折り曲げ状態が維持されるようにする工夫も提案されている。例えば特許文献４〜７に示されているように、袋側部のシール部を、袋折り曲げした際に対向する部分で互いに係合できるようにした構成が提案されている。
【先行技術文献】
【特許文献】
【０００７】
【特許文献１】実願昭５９−１９３４９１号のマイクロフィルム（公開実用昭和６１−１０７７４１）
【特許文献２】特開平０５−１７８３５６号公報
【特許文献３】特開２００１−１５１２５０号公報
【特許文献４】実用新案登録第３００４０９０号公報
【特許文献５】特開２００６−１９９３３４号公報
【特許文献６】特開２００６−２４０６９１号公報
【特許文献７】特開２０１２−１４８７８４号公報
【発明の概要】
【発明が解決しようとする課題】
【０００８】
ところで、三方シールや四方シールの包装袋で収納物が充填された包装袋は、或る程度の厚みはあるものの、商品形態としてはほぼ板状である。特に液体を充填した包装袋では、袋を手持ちして一隅をもぎ取る開封操作をした際に液体が飛び出ることのないように、収納部内に収納物が流動できる十分な余裕を有する形でその収納物を充填するのが一般的である。そのため、一般小売店舗などにおいては商品棚などに平置きした状態で並べ置かれ、その状態では略平板状の形態となる場合が多い。
【０００９】
三方シールや四方シールの包装袋では未開封のものでは平置きされることが多く、このタイプの包装袋に上述した再封できる仕組みを持たせた場合にも、再封した包装袋を棚の上などに平置きする可能性がある。しかしながら、注出口の縁に残渣として収納物の液体や粉体が付着しており、不用意な操作で注出口を下側にして平置きすると、その注出口から液体や粉体が棚板に移って汚してしまうという不具合が生じる。
【００１０】
そこで本発明は上記事情に鑑み、注出口を開封した三方シール、または四方シールの包装袋を平らな面に置くときに、注出口を接地する面側に位置させないようにすることを課題とし、開封されている注出口が上方となって、かつ安定した据え置きができる包装袋を提供することを目的とするものである。
【課題を解決するための手段】
【００１１】
（請求項１の発明）
本発明は上記課題を考慮してなされたもので、二面の柔軟なシートが対向してその間を収納空間とした収納部が設けられていて、前記二面のシートの辺部をヒートシールした三方シールまたは四方シールの包装袋であって、ヒートシールされた対向する一組のシール辺部の内、一方のシール辺部側に注出口形成予定部が設けられている包装袋において、
前記一組のシール辺部の対向方向を第一方向として、前記収納部での前記第一方向で対向する二位置に、収納部の折り起こしが可能な折曲予定部が形成されていて、
前記収納部は、前記折曲予定部の間の自立用底部形成部と、前記自立用底部形成部を間にして第一方向に対向配置されて折曲予定部の位置から折り起こしできる二つの折り起こし部とから設けられ、
前記折曲予定部からの折り起こしにより近接する前記二つの折り起こし部のシール辺部それぞれに、該折り起こしによって相対して係脱可能に係止する折曲維持手段が設けられており、
前記二つの折曲維持手段の係止により収納部の折り起こし状態が維持されて、一方のシール辺部側にある注出口形成予定部を上方とし前記自立用底部形成部を袋底として収納部が自立可能となる構成を有することを特徴とする包装袋を提供して、上記課題を解消するものである。
【００１２】
（請求項２の発明）
そして、本発明によれば、上記折曲維持手段それぞれは、互いに係脱可能に係止し合う係止片であるものとすることが可能である。
【００１３】
（請求項３の発明）
また、本発明によれば、上記折曲維持手段の内の一方の折曲維持手段は、シール辺部を切り込んでなる係止口であり、他方の折曲維持手段は、前記係止口に挿入して係止可能とされる係止片であるものとすることが可能である。
【発明の効果】
【００１４】
（請求項１の発明の効果）
請求項１の発明によれば、収納部には自立用底部形成部があり、前記自立用底部形成部を間としてこの自立用底部形成部に折曲予定部を介して連続する折り起こし部を折り起こすことで、一方の折り起こし部のシール辺部側にある注出口形成部、また開封済みであれば注出口形成予定部の位置にある注出口が、折り起こされた方向に位置することになる。
【００１５】
そして、二つの折り起こし部の折曲維持手段を係止せることで、折り起こし部の折り曲げ状態が維持され、注出口形成予定部或いは開封済みの注出口が、自立用底部形成部のシートから離れた箇所で位置決めされる。さらに自立用底部形成部を底とし、注出口形成予定部（開封済みであれば注出口形成予定部の位置に形成された注出口）を上方とした折り起こし状態の収納部を自立させることができ、注出口が開かれていてもその注出口が袋を置いた面には接触せず、注出口の縁などに付着していた収納物が袋を置いた面に移ることがない。よって、袋を置いた面を汚すという不具合を解消できる。
【００１６】
（請求項２の発明の効果）
また、請求項２の発明によれば、折曲維持手段の形状が係止片という簡単なものとなり、シール辺部に対する切り込み加工や打ち抜き加工などを施すことで、その折曲維持手段を簡単に作成し、包装袋の製造コストを引き上げることがない。
【００１７】
（請求項３の発明の効果）
また、請求項３の発明によれば、折曲維持手段の形状が係止片と係止口という簡単なものとなり、シール辺部に対する切り込み加工や打ち抜き加工などを施すことで、その折曲維持手段を簡単に作成し、包装袋の製造コストを引き上げることがない。
【図面の簡単な説明】
【００１８】
【図１】本発明に係る包装袋の実施形態を平置きの状態で示す説明図である。
【図２】折曲維持手段を係止させた自立の形態を示す説明図である。
【図３】折曲維持手段を係止片と係止口とした実施形態を平置きの状態で示す説明図である。
【図４】さらに他の変形例を示すもので、（ａ）は第二の折り起こし部が略直角に折り起こされた自立の形態を示す説明図、（ｂ）は第二の折り起こし部に注出口が形成された包装袋での自立の形態を示す説明図、（ｃ）は第二の折り起こし部が途中位置で折り曲げられている自立の形態を示す説明図である。
【発明を実施するための形態】
【００１９】
（第一の実施形態）
つぎに本発明を図１から図４に示す実施の形態に基づいて詳細に説明する。図１から図３は第一の実施形態を示しており、包装袋１は、二枚の柔軟なシートである正面シート２と背面シート３とが対向し、その間の収納空間に液体や粉体を収納する収納部４を有しているものである。この実施形態での包装袋１の外形は、一方のシート側から見た状態で一方向が長い略長方形状とし、四方の辺部をヒートシールした薄板状のシール辺部とする四方シール包装の袋である。
【００２０】
本実施形態において、袋長辺方向を第一方向Ｘとしてこの第一方向Ｘで対向する一組のシール辺部を第一辺部５、第二辺部６とし、第一方向Ｘに直交する第二方向Ｙ（袋短辺方向）で対向する一組のシール辺部を第三辺部７、第四辺部８としている。そして収納部４の一隅となるように第一辺部５での一端部側（第三辺部側）であって、第一辺部５から第三辺部７に掛けて傾斜した注出口形成予定部９が設けられていて、第一辺部５の端辺にある切り込みからもぎ取り操作で注出口形成予定部９に沿った切断ができるようにしたハーフカット加工がこの注出口形成予定部９に施されている。
【００２１】
この包装袋１にあっては、平置きできる略平板形状の状態から、収納部４での第一辺部５側の部分と第二辺部６側の部分とを折り起こし、収納部４の略中央部分を袋底としながら、その折り起こされた部分の折り起こしを維持した自立状態に変形することができるものであり、これによって平坦な面などの上に自立の包装袋１を置くことができるものである。
【００２２】
まず包装袋１において、収納部４での第一方向Ｘで対向する二つの位置に折曲予定部１０が設けられていて、この折曲予定部１０それぞれは収納部４の短辺方向、即ち第二方向Ｙに亘って設けられている。そして、折曲予定部１０それぞれの端部の近傍位置には、第三辺部７と第四辺部８とから収納部４の中心側に向けてシール部を延設してなる折曲補助部１１が設けられており、前記折曲補助部１１のシール境界（第二方向Ｙの境界部分）に沿って収納部４を折り曲げし易くしている。
【００２３】
また、収納部４は上記二つの折曲予定部１０の間を自立用底部形成部１２としていて、この自立用底部形成部１２は折り曲げをしない領域である。前記自立用底部形成部１２の第一辺部５側の折曲予定部１０を介して連続する領域は第一の折り起こし部１３とされ、第一辺部５側の前記折曲予定部１０の位置を折り元としてその位置から折り起こしできる部分であり、自立用底部形成部１２での正面シート２側に向けて回動可能である。同様に自立用底部形成部１２の第二辺部６側の折曲予定部１０を介して連続する領域は第二の折り起こし部１４とされ、第二辺部６側の前記折曲予定部１０の位置を折り元としてこの折曲予定部１０から折り起こしでき、前記自立用底部形成部１２の正面シート２側に向けて回動可能である。第一の折り起こし部１３及び第二の折り起こし部１４それぞれは折り起こしできる方向が限定されているものではなく、自立用底部形成部１２の背面シート３側に向けて回動させることもできるものであるが、収納部４を自立できる形状に変形するために、折り起こす方向を自立用底部形成部１２の正面シート２側か或いは背面シート３側かのいずれかに統一して折り起こすようにする。
【００２４】
上記第一の折り起こし部１３での第一辺部５と第二の折り起こし部１４での上記第二辺部６、即ち、第一方向Ｘで対向する第一辺部５と第二辺部６とは第一、第二の折り起こし部１３、１４を折り起こして自立用底部形成部１２に重なる方向に回動させて近接させたときに接し合う部分であって、この両者に第一の折り起こし部１３と第二の折り起こし部１４との折り起こし状態が維持されるようにした折曲維持手段１５、１６を設けている。
【００２５】
折曲維持手段１５、１６は上述の折り起こしによって相対し、さらに係脱可能に互いが係止し合うことにより第一の折り起こし部１３と第二の折り起こし部１４との折り起こし状態を保ち、収納部４が自立できる形状に維持する働きをするものである。具体的に第一辺部５に設けられている折曲維持手段１５は第一辺部５での上記注出口形成予定部９とは反対となる部分にこの注出口形成予定部９側に向けて凸の係止片１５ａであり、第一辺部５のシール薄板とされたシール辺部を打ち抜くことでこの係止片１５ａは薄板とされている。
【００２６】
他方の折曲維持手段１６は、第二辺部６での第三辺部７側となる部分に第四辺部８側に向けて凸とされた係止片１６ａであり、係止片１５ａと同様に第二辺部６のシール薄板とされたシール辺部を打ち抜くことでこの係止片１６ａが薄板とされている。
【００２７】
本包装袋１では注出口形成予定部９を開口し収納物を所望量注出した後に上記第一、第二折り起こし部１３、１４を折り起こして収納部４を三角状に折り曲げた状態とすることで平らな部分に据え置けるようにし、開封により得られた注出口ａもその平らな部分の面に接しさせないようにすることができる。そのようにするためには第一、第二折り起こし部１３、１４を折り起こした後、対応し合う上記係止片１５ａと係止片１６ａとを係止させればよく、収納部４での第一、第二折り起こし部１３、１４の折り起こし状態が維持されて、注出口（開封前では注出口形成予定部９）を上方とし、図２に示されているように自立用底部形成部１２を袋底として収納部４が自立可能となる。よって、この変形状態で包装袋１を上述したように平らな面に据え置けば、包装袋１は安定した状態となるとともに、開封された注出口ａがある場合にはその注出口が平らな面に接することがないので、注出口に付着した収納物が平らな面に移って汚すというような不具合は生じない。
【００２８】
折曲維持手段１５、１６はそれぞれが係止片である必要はない。その変形例を図３に示していて、例えば第一辺部５における折曲維持手段１５を上方に凸のくさび形状の係止片１５ｂとし、第二辺部６における折曲維持手段１６を前記係止片１５ｂを挿入して係脱可能に係止させることのできるスリットからなる係止口１６ｂとすることも可能である。
【００２９】
上記二つの折曲予定部１０の第一方向での位置は特に限定されるものではなく、二つの折曲維持手段１６が係止して収納部４が自立できる形状となる位置であればよい。また、二つの上記折り起こし部１３、１４それぞれは途中部分で折り曲げることも可能であって、略板状のままで折り起こされるものに限定されない。さらに、注出口形成予定部９の位置は上述した実施形態では第一辺部５側に設けて、その第一辺部５の一端側で注出口が形成されるようにしているが、第二辺部６側に注出口形成予定部を設けるようにしてもよい。例えば、図４は変形の例を示していて、第二辺部６がある折り起こし部１４が自立用底部形成部１２に対して略直角となるように折り起こされるものとしたり（ａ）、その略直角に折り起こされる折り起こし部１４の第二辺部６に注出口ａが形成できるようにしたり（ｂ）、さらには、折り起こし部１４の途中位置を折り曲げる（ｃ）ことも可能である。
【００３０】
図１や図３に示したように、上記収納部４を折曲予定部１０の位置でその折り起こしを行ない易くするために折曲補助部１１を設けたが、図４に示すように自立用底部形成部１２や折り起こし部１３、１４の正面シート２や背面シート３に、第一方向Ｘに沿ったエンボス加工による筋押し部１７を折曲予定部１０に交差させない配置にして設けてもよく、筋押し部１７が位置する領域での第一方向での折れに対する強度が向上して、折り起こし易くなる。
【符号の説明】
【００３１】
１…包装袋
２…正面シート
３…背面シート
４…収納部
５…第一辺部
６…第二辺部
７…第三辺部
８…第四辺部
９…注出口形成予定部
１０…折曲予定部
１１…折曲補助部
１２…自立用底部形成部
１３…第一の折り起こし部
１４…第二の折り起こし部
１５…折曲維持手段
１５ａ…係止片
１５ｂ…係止片
１６…折曲維持手段
１６ａ…係止片
１６ｂ…係止口
１７…筋押し部
Ｘ…第一方向
Ｙ…第二方向
ａ…注出口
【図１】
2014205499.tif 000003
【図２】
2014205499.tif 000004
【図３】
2014205499.tif 000005
【図４】
2014205499.tif 000006